(57)【要約】【課題】本発明は構成を簡略化でき、これにより、小型化及びコストダウンが可能であると共に、施工期間を短くできる地中埋設配管の保護方法及び施工方法の提供を課題とする。【解決手段】本発明は、土５０中に埋設された配管５１と、この配管５１より上方に埋設され、配管５１より上側の土５０から配管５１に作用する鉛直方向の荷重を支持する保護部材５２と、保護部材５２を支持する杭５３と、を備えている。【選択図】  図１
2004190780.tif 000002
【特許請求の範囲】
【請求項１】
土中に埋設された配管と、
前記配管より上方に埋設され前記配管より上側の土から前記配管に作用する鉛直方向の荷重を支持する保護部材と、
前記保護部材を支持する杭と、を備えたことを特徴とする地中埋設配管の保護構造。
【請求項２】
前記配管が複数であることを特徴とする請求項１に記載の地中埋設配管の保護構造。
【請求項３】
地中における配管を埋設すべき位置の両側に杭を打設する工程と、
前記配管を埋設すべき位置を掘削して空間を形成する工程と、
前記杭の上部側で前記配管を埋設すべき位置より上方に、前記配管より上側の土から前記配管に作用する鉛直方向の荷重を支持する保護部材を取り付ける工程と、
前記配管を前記空間内の所定の位置に配置する工程と、
前記空間内に前記土を埋め戻す工程とを有することを特徴とする地中埋設配管の施工方法。
【発明の詳細な説明】
【０００１】
【発明の属する技術分野】
本発明は地中埋設配管の保護構造及び施工方法に係り、特に、地盤沈下地帯に配管を埋設する場合に好適な地中埋設配管の保護構造及び施工方法に関する。
【０００２】
【従来の技術】
地中に配管を埋設する場合、そのままでは配管に土の重量が作用して配管が破損するおそれがある。そのため、従来は、次に説明するように、地中にカルバート又は鞘管といわれる配管を埋設し、その中に配管を挿入することによって、配管を保護していた。
【０００３】
図７は、カルバート１０によって配管１１を保護する方法を示す。この場合には、地中に箱状のカルバート１０を埋設し、このカルバート１０内に配管１１を挿入することによって、土１３の荷重から配管１１を保護する。なお、図７中の符号１２はカルバート１０を支持する杭である。
【０００４】
図８は、鞘管１４によって配管１１を保護する方法を示す。この場合は、土１３中に配管１１より大径の鞘管１４を埋設し、この鞘管１４内に配管１１を挿入する。
【０００５】
【発明が解決しようとする課題】
しかしながら、従来のカルバート１０又は鞘管１４によって配管１１を保護する方法では、カルバート１０又は鞘管１４によって配管１１の全周方向に作用する荷重から配管１１を保護しているため、カルバート１０又は鞘管１４が大型となり、コストアップになると共に、施工期間も長くなるという問題があった。
【０００６】
特に、地盤沈下地帯に配管１１を埋設する場合には、配管１１に外力として作用する鉛直土圧（特にマーストンの突出土圧）が大きいため、カルバート１０又は鞘管１４の強度を上げる必要があり、カルバート１０又は鞘管１４が更に大型化して、コストアップになるという問題があった。
【０００７】
本発明は、このような問題に鑑みてなされたもので、保護部材の小型化及びコストダウンが可能であると共に、施工期間を短くできる地中埋設配管の保護方法及び施工方法の提供を課題とする。
【０００８】
【課題を解決するための手段】
本発明は、前記課題を解決するため、以下の手段を採用した。
【０００９】
すなわち、本発明は、地中埋設配管に作用する土からの荷重のうち、鉛直方向の荷重だけを保護部材によって受けることを要旨とする。
【００１０】
本発明は、土中に埋設された配管と、前記配管より上方に埋設され前記配管より上側の土から前記配管に作用する荷重を支持する平板状の保護部材と、前記保護部材を支持する杭と、を備えたことを特徴とする。
【００１１】
本発明によれば、配管より上方の土から配管に作用する鉛直方向の荷重だけを保護部材によって支持するので、保護部材の構成を簡略化及び小型化でき、これによって、コストダウン及び施工期間の短縮が可能となる。特に、本発明は、地盤沈下地帯に配管を埋設する場合などに好適である。
【００１２】
ここで、前記配管を複数とすることができる。
【００１３】
また、本発明は、地中における配管を埋設すべき位置の両側に杭を打設する工程と、前記配管を埋設すべき位置を掘削して空間を形成する工程と、前記杭の上部側で前記配管を埋設すべき位置の上方に、前記配管より上側の土から前記配管に作用する鉛直方向の荷重を支持する保護部材を取り付ける工程と、前記配管を前記空間内の所定の位置に配置する工程と、前記空間内に前記土を埋め戻す工程とを有することを特徴とする。
【００１４】
なお、以上述べた各工程は、本発明の要旨を逸脱しない限り、互いに組み合わせることが可能である。
【００１５】
【発明の実施の形態】
以下、本発明の実施の形態を添付した図１から図６に基づいて説明する。
（第１実施形態）
図１は、本発明の第１実施形態を示す。ここでは、土５０中に埋設された配管５１と、この配管５１より上方に埋設され配管５１より上側の土５０から配管５１に作用する鉛直方向の荷重を支持する保護部材５２とを備えている。配管５１は、本例では１個だけ設置されているが、後述のように複数設置することもできる。
【００１６】
保護部材５２は、鋼材、樹脂、木材などで、任意の形状に形成することができる。ここでは、保護部材５２が、配管５１の直径より大きな幅ｂを有する長尺な板状に形成されている。
【００１７】
この保護部材５２は、少なくともその上側の土５０を支持するのに必要な強度を有している。また、保護部材５２は、配管５０の両側に埋設された複数の杭５３によって支持されている。
【００１８】
上記配管５１は、図２にも示すように、保護部材５２の下面に取り付けられた略Ｕ字状の吊り部材５４によって吊り下げられている。保護部材５２と配管５１との間には、隙間が設けられている。この隙間は、設けなくてもよい。
【００１９】
このように、本発明によれば、土５０中に埋設された配管５１より上側の土５０を保護部材５２によって支持するので、土５０から配管５０に作用する荷重のうち、鉛直方向の荷重のみを保護部材５２によって受けることになる。
【００２０】
この鉛直方向の荷重は、土５０によって作用する荷重のうち大きな割合を占めるので、鉛直方向の荷重を保護部材５２によって支持することにより、土５０から配管５１に作用する荷重が非常に小さくなる。従って、配管５１が破損するのを防止できる。
【００２１】
また、保護部材５２は、土５０による鉛直方向の荷重、すなわち保護部材５２上の土５０の重量を支持するだけであるから、平板状などの簡単な形状として小型化することができる。これにより、保護部材５２のコストを低減できると共に、その施工期間を短縮できる。
【００２２】
特に、地盤沈下地帯に配管５１を埋設する場合のように、配管５１に外力として作用する鉛直土圧（特にマーストンの突出土圧）が大きい場合でも、この鉛直土圧を保護部材５２で負担するので、配管５１が破損するのを防止することができる。
（第２実施形態）
図３は、本発明の第２実施形態を示す。ここでは、保護部材５２の下方に支持板５５が配置されている。この支持板５５は、両側の杭５３に固定されている。そして、この支持板５５の上に配管５１が配置され、固定バンド５６によって支持板５５に固定されている。
【００２３】
この場合は、配管５１の重量が大きい場合でも、支持板５５によって配管５１を確実に保持することができる。なお、支持板５５は配管５１と同一長さとすることができるが、それより短いものを断続的又は連続的に配置することができる。
（第３実施形態）
図４は、本発明の第３実施形態を示す。上記実施形態では、１個の配管５１を埋設する場合について説明したが、図４に示すように、複数の配管５１ａ，５１ｂを埋設することができる。
【００２４】
本例では、支持板５５上に２個の配管５１ａ，５１ｂが水平方向に並列に載置され、それぞれ固定バンド５６によって固定されている。この場合、配管５１ａ，５１ｂの直径は、同一又は異径とすることができる。
【００２５】
なお、３個以上の配管５１ａ，５１ｂ・・・を、支持板５５上に配置して固定することができる。
【００２６】
このように、複数の配管５１ａ，５１ｂ・・・を水平方向に一列には一することにより、配管５１，５１ｂ・・・を埋設するために土５０を掘削する深さを小さくすることができる。
（第４実施形態）
図５は、本発明の第４実施形態を示す。ここでは、２個の配管５１ａ，５１ｂが鉛直方向に一列に配置されている。なお、図５は、配管５１ａ，５ｂを重ねて配置したが、配管５１，５１ｂ間に隙間をあけることができる。また、３個以上の配管５１ａ，５１ｂ・・・を鉛直方向に一列に配置することができる。
【００２７】
このように、複数の配管５１ａ，５１ｂ・・・を鉛直方向に一列に配置することにより、配管５１ａ，５１ｂ・・・の設置スペースを小さくすることができる。
（第５実施形態）
図６は、本発明を説明するフローチャートである。ここでは、上記第３実施形態（図３参照）を施工する場合を例として説明する。
【００２８】
まず、土５０中の所定の位置に杭５３を打設する（ステップ１）。次に、配管５１を埋設すべき位置を掘削して、空間を形成する（ステップ２）。次に、杭５３に支持板５５を取り付ける（ステップ３）。
【００２９】
続いて、支持板５５上に配管５１を配置し、固定バンド５６で固定する（ステップ４）。次に、杭５３に保護部材５２を取り付けた後（ステップ５）、掘削によって形成された空間内に土５０を埋め戻す（ステップ６）。
【００３０】
なお、上記ステップ１〜５の各工程は、本発明の要旨を逸脱しない限り、互いに組み合わせることができる。
【００３１】
【発明の効果】
本発明では、途中に埋設される配管の周囲の土から配管に作用する荷重のうち、鉛直方向の荷重だけを保護部材によって支持するので、保護部材の構成を簡略化及び小型化でき、コストダウン及び施工期間の短縮が可能になる。特に、地盤沈下地帯に配管を埋設する場合でも、鉛直方向の荷重から配管を保護することができる。
【図面の簡単な説明】
【図１】本発明の第１実施形態を示す斜視図。
【図２】本発明の第１実施形態を示す側面図。
【図３】本発明の第２実施形態を示す側面図。
【図４】本発明の第３実施形態を示す側面図。
【図５】本発明の第４実施形態を示す側面図。
【図６】本発明の第５実施形態を示すフローチャート。
【図７】従来例を示す斜視図。
【図８】別の従来例を示す斜視図。
【符号の説明】
５０  土
５１，５１ａ，５１ｂ  配管
５２  保護部材
５３  杭
５４  吊り部材
５５  支持板
５６  固定バンド
【図１】
2004190780.tif 000003
【図２】
2004190780.tif 000004
【図３】
2004190780.tif 000005
【図４】
2004190780.tif 000006
【図５】
2004190780.tif 000007
【図６】
2004190780.tif 000008
【図７】
2004190780.tif 000009
【図８】
2004190780.tif 000010